(57)【要約】【課題】小型化を図るとともに、２つの円筒部材を確実に固定することが可能なレンズ鏡筒を提供する。【解決手段】レンズ鏡筒１０は、フォーカスリングベース２５、フォーカスリングカバー２６、突起部２５ｃ、突起部２５ｄ、複数の凸部２６ｃを備えている。フォーカスリングカバー２６は、フォーカスリングベース２５の外周面２５ｂに固定される。突起部２５ｃは、フォーカスリングベース２５の外周面２５ｂに設けられている。突起部２５ｄは、フォーカスリングベース２５の外周面２５ｂにおける突起部２５ｃに対して軸方向にずれた位置に設けられている。複数の凸部２６ｃは、フォーカスリングカバー２６の内周面２６ｂに帯状に設けられており、凸部２６ｃの端面に突起部２５ｄが係止されてフォーカスリングベース２５の軸方向の移動を規制するとともに、複数の凸部２６ｃの間に形成された凹部２６ｄに突起２５ｃが嵌合してフォーカスリングカバー２６に対するフォーカリングベース２５の回転方向における移動を規制する。【選択図】図８
2016197137.tif 000002
【特許請求の範囲】
【請求項１】
円筒状のベース部材と、
前記ベース部材の外周面を覆うように、前記ベース部材の外周面に固定される円筒状のカバー部材と、
前記ベース部材の外周面に設けられており、径方向において突出する回転止め突起部と、
前記ベース部材の外周面における前記回転止め突起部に対して軸方向にずれた位置に設けられており、径方向において突出する抜け止め突起部と、
前記カバー部材の内周面に帯状に設けられており、凹部を間に形成する複数の凸部と、を備え、
前記回転止め突起部および前記抜け止め突起部の両端の距離は前記凹部の周方向における距離よりも小さく、
前記凹部内に前記回転止め突起部が係止されて、前記カバー部材に対する前記ベース部材の回転方向における移動が規制されるとともに、
前記抜け止め突起部が前記凸部の端面に係止されて、前記ベース部材に対する前記カバー部材の軸方向における移動が規制される、
レンズ鏡筒。
【請求項２】
円筒状のベース部材と、
前記ベース部材の外周面を覆うように、前記ベース部材の外周面に固定される円筒状のカバー部材と、
前記ベース部材の外周面に設けられており、径方向において突出する回転止め突起部と、
前記ベース部材の外周面における前記回転止め突起部に対して軸方向にずれた位置に設けられており、径方向において突出する抜け止め突起部と、
前記カバー部材の内周面に帯状に設けられており、前記ベース部材に前記カバー部材が装着される際には、前記抜け止め突起部と前記回転止め突起部の一部とが軸方向において通過する凹部を間に形成し、その通過した状態から前記ベース部材を回転方向に回転させることで、前記抜け止め突起部がその端面に係止されて前記ベース部材に対する前記カバー部材の軸方向における移動を規制するとともに、前記凹部内において前記回転止め突起部が係止されて、前記カバー部材に対する前記ベース部材の回転方向における移動を規制する複数の凸部と、
を備えているレンズ鏡筒。
【請求項３】
円筒状のベース部材と、
前記ベース部材の外周面を覆うように、前記ベース部材の外周面に固定される円筒状のカバー部材と、
前記カバー部材の内周面に設けられており、径方向において突出する回転止め突起部と、
前記カバー部材の内周面における前記回転止め突起部に対して軸方向にずれた位置に設けられており、径方向において突出する抜け止め突起部と、
前記ベース部材の外周面に帯状に設けられており、凹部を間に形成する複数の凸部と、を備え、
前記回転止め突起部および前記抜け止め突起部の両端の距離は前記凹部の周方向における距離よりも小さく、
前記凹部内に前記回転止め突起部が係止されて、前記カバー部材に対する前記ベース部材の回転方向における移動が規制されるとともに、
前記抜け止め突起部が前記凸部の端面に係止されて、前記ベース部材に対する前記カバー部材の軸方向における移動が規制される、
レンズ鏡筒。
【請求項４】
円筒状のベース部材と、
前記ベース部材の外周面を覆うように、前記ベース部材の外周面に固定される円筒状のカバー部材と、
前記カバー部材の内周面に設けられており、径方向において突出する回転止め突起部と、
前記カバー部材の内周面における前記回転止め突起部に対して軸方向にずれた位置に設けられており、径方向において突出する抜け止め突起部と、
前記ベース部材の外周面に帯状に設けられており、前記カバー部材の内周面側に前記ベース部材が装着される際には、前記抜け止め突起部と前記回転止め突起部の一部とが軸方向において通過する凹部を間に形成し、その通過した状態から前記ベース部材を回転方向に回転させることで、前記抜け止め突起部がその端面に係止されて前記カバー部材に対する前記ベース部材の軸方向における移動を規制するとともに、前記凹部内において前記回転止め突起部が係止されて、前記カバー部材に対する前記ベース部材の回転方向における移動を規制する複数の凸部と、
を備えているレンズ鏡筒。
【請求項５】
前記回転止め突起部は、周方向に沿って複数設けられている、
請求項１から４のいずれか１項に記載のレンズ鏡筒。
【請求項６】
前記複数の回転止め突起部の周方向における両端の距離は、前記凹部の周方向における長さとほぼ一致する、
請求項１から５のいずれか１項に記載のレンズ鏡筒。
【請求項７】
前記ベース部材は、前記ベース部材に前記カバー部材が装着される際に、前記軸方向における相対移動を規制するために、外周面における軸方向の端部に設けられた環状突起部を、さらに備えている、
請求項１から６のいずれか１項に記載のレンズ鏡筒。
【請求項８】
前記回転止め突起部は、径方向において弾性変形する弾性変形部を有する、
請求項１から７のいずれか１項に記載のレンズ鏡筒。
【発明の詳細な説明】
【技術分野】
【０００１】
本開示は、レンズ鏡筒に関する。
【背景技術】
【０００２】
レンズ鏡筒には、光軸方向に沿って複数のレンズ群が配置されている。そして、これらのレンズ群は、別々のレンズ枠にそれぞれ取り付けられている。
例えば、特許文献１には、これらの複数のレンズ群を駆動して焦点位置を合わせるためのフォーカスリングを備えたレンズ鏡筒について開示されている。
【先行技術文献】
【特許文献】
【０００３】
【特許文献１】特開２００４−２１２８８４号公報
【発明の概要】
【発明が解決しようとする課題】
【０００４】
しかしながら、上記従来のレンズ鏡筒では、以下に示すような問題点を有している。
すなわち、上記公報に開示されたレンズ鏡筒では、フォーカスリングを構成する２つの円筒部材（リングギア４３およびリング本体４１）が、ネジを用いて固定されている。
このため、ネジ止め用のスペースを確保するために、レンズ鏡筒の寸法が大きくなってしまうおそれがある。
【０００５】
また、ネジを使用せずに２つの円筒部材を固定する方法として、接着剤を用いた固定方法も考えられるが、この場合には、接着不良の発生により、２つの円筒部材を確実に固定することができないおそれがある。
本開示の課題は、小型化を図るとともに、２つの円筒部材を確実に固定することが可能なレンズ鏡筒を提供することにある。
【課題を解決するための手段】
【０００６】
本開示に係るレンズ鏡筒は、円筒状のベース部材と、円筒状のカバー部材と、回転止め突起部と、抜け止め突起部と、複数の凸部と、を備えている。カバー部材は、ベース部材の外周面を覆うように、ベース部材の外周面に固定される。回転止め突起部は、ベース部材の外周面に設けられており、径方向において突出する。抜け止め突起部は、ベース部材の外周面における回転止め突起部に対して軸方向にずれた位置に設けられており、径方向において突出する。複数の凸部は、カバー部材の内周面に帯状に設けられており、凹部を間に形成する。回転止め突起部および抜け止め突起部の両端の距離は、凹部の周方向における距離よりも小さい。凹部内に回転止め突起部が係止されて、カバー部材に対するベース部材の回転方向における移動が規制される。抜け止め突起部が凸部の端面に係止されて、ベース部材に対するカバー部材の軸方向における移動が規制される。
【発明の効果】
【０００７】
本開示に係るレンズ鏡筒によれば、小型化を図るとともに、２つの円筒部材を確実に固定することができる。
【図面の簡単な説明】
【０００８】
【図１】本開示の一実施形態に係るレンズ鏡筒の構成を示す全体斜視図。
【図２】図１のレンズ鏡筒の被写体側の部分を構成する各部品の分解斜視図。
【図３】図２の各部品の被写体とは反対側に配置された主要部品の構成を示す分解斜視図。
【図４】図１のレンズ鏡筒に含まれるフォーカスリングを構成するフォーカスリングベースとフォーカスリングカバーの構成を示す分解斜視図。
【図５】（ａ）は、フォーカスリングベースの平面図。（ｂ）は、（ａ）のＸ線における外周面側から見た展開図。
【図６】（ａ）は、フォーカスリングカバーの平面図。（ｂ）は、（ａ）のＹ線における内周面側から見た展開図（透視図）。
【図７】（ａ）は、フォーカスリングカバーの内周面にフォーカスリングベースを挿入する際の工程を示す展開図。（ｂ）は、フォーカスリングカバーの内周面にフォーカスリングベースを挿入した状態を示す展開図。
【図８】（ａ）は、フォーカスリングカバーの内周面にフォーカスリングベースを挿入した状態からフォーカスリングベースを回転させる工程を示す展開図。（ｂ）は、フォーカスリングカバーの内周面にフォーカスリングベースを固定した状態を示す展開図。
【図９】本開示の他の実施形態に係るフォーカスリングベースの構成を示す斜視図。
【図１０】（ａ）は、図９のフォーカスリングベースの平面図。（ｂ）は、（ａ）のＸ線における外周面側から見た展開図。
【発明を実施するための形態】
【０００９】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
なお、出願人は、当業者が本開示を十分に理解するために添付図面および以下の説明を提供するのであって、これらによって特許請求の範囲に記載の主題を限定することを意図するものではない。
【００１０】
（実施形態１）
本開示の一実施形態に係るレンズ鏡筒について、図１〜図８（ｂ）を用いて説明すれば以下の通りである。
（レンズ鏡筒１０全体の構成）
本実施形態に係るレンズ鏡筒は、図１に示すように、カメラ本体（図示せず）に対して着脱可能なレンズユニットである。そして、レンズ鏡筒１０は、外観視において、光軸Ｘ方向における被写体側から、フィルタリング押さえ１１、第１レンズＬ１、フィルタリング１２、前枠１４、フォーカスリング５０、後枠２８を備えている。
【００１１】
ここで、レンズ鏡筒１０を構成する部品のうち、光軸方向における被写体側の部分を構成する部品は、図２に示すように配置されている。
具体的には、光軸Ｘ方向における被写体側から見て、フィルタリング押さえ１１、フィルタリング１２、防塵リング１３、前枠１４、第１レンズＬ１、１ａ群レンズ枠１５、第２レンズＬ２、第３レンズＬ３、１ｂ群レンズ枠１６、ＯＩＳベース枠１７、ＯＩＳ回動軸１８、ＯＩＳバネ１９、ＯＩＳボール２０、ＯＩＳレンズ枠２１、ＯＩＳマグネット２２、絞りユニット２３、および固定枠２４が、この順に配置されている。
【００１２】
なお、上記ＯＩＳとは、カメラ本体のブレを相殺する方向に補正レンズ（第４レンズＬ４）を駆動して被写体像の振れを低減する、いわゆる手振れ補正機構（Optical Image Stabilizer）を意味している。
フィルタリング押さえ１１は、図２に示すように、光軸Ｘ方向における最も被写体側に配置される環状の部材である。そして、フィルタリング押さえ１１は、ＯＩＳベース枠１７側に固定される。
【００１３】
フィルタリング１２は、図１に示すように、レンズ鏡筒１０の外郭の一部を構成する環状の部材である。そして、フィルタリング１２は、光学フィルタが取り付けられるようになっており、図２に示すように、光軸Ｘ方向において、フィルタリング押さえ１１と前枠１４との間に配置されている。
防塵リング１３は、外装部材と内部との間に形成された隙間を埋めるために、フィルタリング１２と１ａ群レンズ枠１５との間に設けられている。これにより、レンズ鏡筒１０の外部からチリや埃が侵入することを防止している。
【００１４】
前枠１４は、図１に示すように、フィルタリング１２とＯＩＳベース枠１７とが接続された部分を外周側から覆うように配置されている。
また、前枠１４は、図２に示すように、光軸Ｘ方向における被写体側から見て、フィルタリング１２の背面側に配置されている。そして、前枠１４は、光軸Ｘ方向における被写体側とは反対側から、フィルタリング１２に対してビス止めによって固定される。
【００１５】
１ａ群レンズ枠１５は、図２に示すように、１ｂ群レンズ枠１６を介して、第１レンズＬ１の光軸調整が可能な状態で設けられている。また、１ａ群レンズ枠１５は、第１レンズＬ１が取り付けられている。
１ｂ群レンズ枠１６は、図２に示すように、１ａ群レンズ枠１５と同様に、第２レンズＬ２および第３レンズ（第２レンズ群）Ｌ３の光軸調整が可能な状態で設けられている。そして、１ｂ群レンズ枠１６は、第２レンズＬ２および第３レンズＬ３が取り付けられている。
【００１６】
ＯＩＳベース枠１７は、図２に示すように、略円筒状の部材であって、光軸Ｘ方向における被写体側の面において、１ａ群レンズ枠１５と１ｂ群レンズ枠１６とを光軸調整可能な状態で保持する。また、ＯＩＳベース枠１７は、光軸Ｘ方向における被写体とは反対側に配置されたＯＩＳレンズ枠２１が、回動可能な状態で取り付けられる。
ＯＩＳ回動軸１８は、図２に示すように、ＯＩＳベース枠１７に対して固定されており、アクチュエータによって光軸Ｘ方向に垂直な平面内において駆動されるＯＩＳレンズ枠２１の回動中心となる。
【００１７】
ＯＩＳバネ１９は、図２に示すように、ＯＩＳベース枠１７とＯＩＳレンズ枠２１との間に３つ設けられている。そして、ＯＩＳバネ１９は、弾性力を活用して、ＯＩＳ回動軸１８を中心に回動可能な状態で、ＯＩＳベース枠１７においてＯＩＳレンズ枠２１を支持する。
ＯＩＳボール２０は、図２に示すように、ＯＩＳベース枠１７とＯＩＳレンズ枠２１との間に３つ設けられている。
【００１８】
ＯＩＳレンズ枠２１は、図２に示すように、第４レンズ（第４レンズ群）Ｌ４が取り付けられている。そして、ＯＩＳレンズ枠２１は、アクチュエータ（絞りユニット２３に取り付けられたコイル２３ａ）の駆動力を受けて、ＯＩＳ回動軸１８を中心にして回動し、光軸Ｘ方向に対して垂直な平面内において移動することで、光学的に像ぶれを補正する。
ＯＩＳマグネット２２は、図２に示すように、ＯＩＳレンズ枠２１の背面側に配置されている。
【００１９】
絞りユニット（光学部品）２３は、図示しないカメラ本体側に設けられた撮像素子に入射する光の量を調整するために設けられている。そして、絞りユニット２３は、図２に示すように、ＯＩＳレンズ枠２１と固定枠２４との間に設けられている。
固定枠２４は、図２に示すように、円筒状の部材であって、ＯＩＳレンズ枠２１、ＯＩＳマグネット２２、および絞りユニット２３等を内周面側において内包している。また、固定枠２４は、図２に示すように、光軸Ｘ方向における被写体側とは反対側の設けられた底面に第５・第６レンズ（基準レンズ群）Ｌ５，Ｌ６が取り付けられている。
【００２０】
次に、光軸Ｘ方向における被写体側から見て、固定枠２４の背面側に配置された構成についてさらに説明すれば以下の通りである。
すなわち、図３に示すように、固定枠２４の背面側には、フォーカスリング５０、ＥＮＣ押さえ２７、後枠２８、第７レンズＬ７、４群レンズ枠２９、遮光シート３０、フォーカスラック３１、メインシャフト３２ａ、サブシャフト３２ｂ、遮光シート３３、および５群レンズ枠３４が、この順に配置されている。
【００２１】
フォーカスリング５０は、図３に示すように、光軸Ｘ方向における被写体側から見て、固定枠２４の背面側に配置されている。そして、フォーカスリング５０は、組み立てた状態において、固定枠２４の外周部分を覆うように取り付けられる。また、フォーカスリング５０は、フォーカスリングベース２５とフォーカスリングカバー２６とを組み合わせて構成されている。
【００２２】
なお、フォーカスリング５０の詳細な構成については、後段にて詳述する。
ＥＮＣ押さえ２７は、図３に示すように、光軸Ｘ方向における被写体側から見て、フォーカスリング５０の背面側に配置されている。そして、ＥＮＣ押さえ２７は、組立状態において、５群レンズ枠３４における光軸Ｘ方向の被写体側に設けられたエンコーダ（図示せず）を保持するように、５群レンズ枠３４に設けられたネジ穴に後枠２８とともにネジ止めされる。
【００２３】
後枠２８は、図１に示すように、レンズ鏡筒１０の被写体とは反対側の部分の外周面を構成する円筒状の部材である。そして、後枠２８は、図３に示すように、その内周面側において、４群レンズ枠２９、５群レンズ枠３４等を内包する。
第７レンズＬ７は、図３に示すように、４群レンズ枠２９に取り付けられる。
４群レンズ枠２９は、図３に示すように、円環状の部分において第７レンズＬ７を保持するとともに、光軸Ｘ方向に沿って配置された２本のシャフト（メインシャフト３２ａとサブシャフト３２ｂ）によって支持された状態で、光軸Ｘ方向において移動する。
【００２４】
遮光シート３０は、レンズ鏡筒１０内における不要な反射光を抑制するために設けられている。そして、遮光シート３０は、図３に示すように、４群レンズ枠２９に取り付けられる第７レンズＬ７用に設けられている。
フォーカスラック３１は、４群レンズ枠２９を光軸Ｘ方向において移動させるための機構に含まれるスクリュー（図示せず）と４群レンズ枠２９とを連結するために設けられている。
【００２５】
メインシャフト３２ａおよびサブシャフト３２ｂは、図３に示すように、光軸Ｘ方向に沿って配置されており、４群レンズ枠２９を光軸Ｘ方向において移動させる際のガイドとして機能する。
遮光シート３３は、遮光シート３０と同様に、レンズ鏡筒１０内における不要な反射光を抑制するために設けられている。そして、遮光シート３３は、図３に示すように、光軸Ｘ方向における第８・第９レンズＬ８，Ｌ９の前面側に設けられている。
【００２６】
５群レンズ枠３４は、後枠２８の内周面側に配置される略円筒状の部材であって、図３に示すように、第１０レンズＬ１０が取り付けられている。
（フォーカスリング５０の構成）
次に、本実施形態のレンズ鏡筒１０における主要な部材であるフォーカスリング５０の構成について、以下で詳細に説明する。
【００２７】
すなわち、本実施形態のレンズ鏡筒１０では、フォーカスリング５０は、図４に示すように、フォーカスリングベース２５およびフォーカスリングカバー２６を組み合わせて構成されている。
（フォーカスリングベース２５）
フォーカスリングベース２５は、図４に示すように、光軸Ｘ方向における被写体側からフォーカスリングカバー２６の内周側に取り付けられる樹脂性の円筒状部材である。そして、フォーカスリングベース２５は、図５（ａ）および図５（ｂ）に示すように、本体部２５ａ、外周面２５ｂ、突起部２５ｃ、突起部２５ｄ、環状凸部２５ｅ、および櫛歯部２５ｆを有している。
【００２８】
本体部２５ａは、図４および図５（ａ）に示すように、円筒状部材であって、その外周面２５ｂ側には、突起部２５ｃ，２５ｄが形成されている。
突起部（回転止め突起部）２５ｃは、本体部２５ａの外周面２５ｂ上から径方向外側に向かって突出するように、周方向に沿ってほぼ等間隔に２つずつ、３箇所に設けられている。そして、突起部２５ｃは、図５（ｂ）に示すように、外周面２５ｂにおいて、光軸Ｘ方向における被写体とは反対側寄りの位置に配置されている。さらに、突起部２５ｃは、後述するフォーカスリングカバー２６の内周面側へ取り付けられた状態において、フォーカスリングベース２５のフォーカスリングカバー２６に対する相対回転を規制する。
【００２９】
ここで、突起部２５ｃは、図５（ｂ）に示すように、２つの突起（第１・第２突起２５ｃａ，２５ｃｂ）によって構成されている。
第１突起（回転止め突起部）２５ｃａは、本体部２５ａの外周面２５ｂに形成された突出部であって、光軸Ｘ方向における被写体とは反対側寄りの位置に配置されている。
第２突起（回転止め突起部）２５ｃｂは、第１突起２５ｃａと同じ大きさの突出部であって、第１突起２５ｃａから周方向に所定の間隔をあけて配置されている。そして、第２突起２５ｃｂは、後述するフォーカスリングカバー２６の内周面側へ挿入された際に、圧入された状態となる。
【００３０】
第１・第２突起２５ｃａ，２５ｃｂは、図５（ｂ）に示すように、周方向において、その両端の距離がｄ１になるように配置されている。
なお、突起部２５ｃ（第１・第２突起２５ｃａ，２５ｃｂ）による相対回転を規制する構造については、後段にて詳述する。
突起部（抜け止め突起部）２５ｄは、突起部２５ｃと同様に、図４に示すように、本体部２５ａの外周面２５ｂ上から径方向外側に向かって突出するように形成されている。そして、突起部２５ｄは、図５（ｂ）に示すように、回転止め用の突起部２５ｃから周方向において所定の間隔をあけて、周方向に沿って配置されている。また、突起部２５ｄは、第１・第２突起２５ｃａ，２５ｃｂに対して、光軸Ｘ方向にずれた位置に配置されている。
【００３１】
なお、突起部２５ｄは、突起部２５ｃとは別の目的（抜け止め）で設けられている。突起部２５ｄによる抜け止め構造については、後段にて詳述する。
環状凸部２５ｅは、図４および図５（ｂ）に示すように、本体部２５ａの外周面２５ｂにおける被写体側の端部から、径方向外側に向かって突出するように形成されている。そして、環状凸部２５ｅは、後述するフォーカスリングカバー２６の内周面側へ挿入された際に、後述するフォーカスリングカバー２６の凸部２６ｃの端面に当接し、光軸Ｘ方向における移動を規制するストッパとして機能する。
【００３２】
櫛歯部２５ｆは、光軸Ｘ方向において、環状凸部２５ｅとは反対側の端部に設けられており、円筒状の本体部２５ａの端面から光軸Ｘ方向に沿って突出する複数の凹凸によって構成されている。そして、櫛歯部２５ｆは、フォーカスリング５０が回転操作されると、上述した５群レンズ枠３４側に設けられたエンコーダ（図示せず）によって回転位置が読み取られる。
【００３３】
（フォーカスリングカバー２６）
フォーカスリングカバー２６は、図４に示すように、フォーカスリング５０の外周面を形成する円筒状の部材であって、その内周面側にフォーカスリングベース２５が固定される。そして、フォーカスリングカバー２６は、図６（ａ）および図６（ｂ）に示すように、本体部２６ａ、内周面２６ｂ、凸部２６ｃ、および凹部２６ｄを有している。
【００３４】
本体部２６ａは、図４および図６（ａ）に示すように、円筒状部材であって、その内周面２６ｂ側には、複数の凸部２６ｃが形成されている。
凸部２６ｃは、図４および図６（ｂ）に示すように、フォーカスリングカバー２６の内周面２６ｂに、周方向においてほぼ等間隔で３つ設けられている。そして、凸部２６ｃは、フォーカスリングカバー２６の内周面２６ｂから径方向内側に向かって、帯状に突出するように形成されている。さらに、凸部２６ｃは、フォーカスリングカバー２６の内周面２６ｂに、光軸Ｘ方向における被写体寄りの位置に形成されている。
【００３５】
さらに、凸部２６ｃは、フォーカスリングベース２５がフォーカスリングカバー２６の内周面２６ｂに固定された状態において、フォーカスリングカバー２６の内周面２６ｂから突出した帯状の部分の光軸Ｘ方向における被写体とは反対側の端面において、突起部２５ｄと当接する。
これにより、フォーカスリングベース２５は、フォーカスリングカバー２６に対する光軸Ｘ方向（挿入方向）における移動が規制される。
【００３６】
凹部２６ｄは、図４および図６（ｂ）に示すように、フォーカスリングカバー２６の内周面２６ｂに、周方向において凸部２６ｃの間に形成された嵌合部分であって、周方向においてほぼ等間隔で３つ設けられている。そして、凹部２６ｄは、フォーカスリングベース２５の外周面に形成された２つの突起（第１・第２突起２５ｃａ，２５ｃｂ）が嵌合することで、フォーカスリングベース２５とフォーカスリングカバー２６とが相対回転することを規制する。
【００３７】
さらに、凹部２６ｄは、図６（ｂ）に示すように、周方向における凹み部分の距離がｄ２になるように形成されている。
ここで、フォーカスリングベース２５の外周面に形成された突起部２５ｃの周方向における両端の間の距離ｄ１（図５（ｂ）参照）は、フォーカスリングカバー２６の凹部２６ｄの周方向における凹み部分の距離ｄ２とほぼ同じか、やや小さくなるように設定されている。
【００３８】
これにより、凹部２６ｄの凹み部分に、フォーカスリングベース２５側の突起部２５ｃが嵌合した状態では、フォーカスリングベース２５とフォーカスリングカバー２６とが相対回転不能な状態で保持される。
＜フォーカスリングベース２５とフォーカスリングカバー２６との接合＞
本実施形態のレンズ鏡筒１０では、図５（ａ）および図５（ｂ）に示すように、フォーカスリングベース２５の外周面側には、２つの回転止め用の第１・第２突起２５ｃａ，２５ｃｂと１つの抜け止め用の突起部２５ｄとを１組とする移動規制機構が、周方向においてほぼ等間隔に３箇所設けられている。
【００３９】
そして、図６（ａ）および図６（ｂ）に示すように、フォーカスリングカバー２６の内周面側には、この３組の移動規制機構に対応する位置に、凸部２６ｃ同士の間に形成される凹部２６ｄが、周方向においてほぼ等間隔に３箇所設けられている。
これらの構成を用いて、フォーカスリングベース２５をフォーカスリングカバー２６に対して固定する際の工程について、図７（ａ）〜図８（ｂ）を用いて説明すれば以下の通りである。
【００４０】
すなわち、フォーカスリングカバー２６にフォーカスリングベース２５を固定する際には、まず、図７（ａ）に示すように、フォーカスリングカバー２６側の凹部２６ｄの位置に対して、フォーカスリングベース２５側の突起部２５ｃの一方（第１突起２５ｃａ）と突起部２５ｄとが挿入されるように回転方向における位置合わせが行われる。
このとき、周方向において、第１突起２５ｃａおよび突起部２５ｄの両端の距離ｄ３は、フォーカスリングカバー２６側の凹部２６ｄの周方向における距離ｄ２よりも小さい。
【００４１】
よって、そのままフォーカスリングベース２５を、図７（ａ）に示す黒矢印方向に挿入していくと、図７（ｂ）に示す挿入状態では、第１突起２５ｃａおよび突起部２５ｄは、凹部２６ｄ内へ収まる。
一方、突起部２５ｃの第２突起２５ｃｂは、図７（ｂ）に示す挿入状態では、帯状の凸部２６ｃ上に配置される。このため、他の２箇所の凸部２６ｃ上に配置された第２突起２５ｃｂとともに、フォーカスリングベース２５の外周面における３点で圧入された状態となる。
【００４２】
また、図７（ｂ）に示す挿入状態では、フォーカスリングベース２５の環状凸部２５ｅが、フォーカスリングカバー２６の凸部２６ｃの端面（挿入方向に略垂直する面）に当接した位置で係止される。
これにより、フォーカスリングベース２５をフォーカスリングカバー２６の内周面２６ｂ内へ挿入していく際に、フォーカスリングベース２５の環状凸部２５ｅがフォーカスリングカバー２６の凸部２６ｃの端面に対して当接する位置を挿入限界位置とすることができる。
【００４３】
次に、図８（ａ）に示すように、第２突起２５ｃｂが凸部２６ｃ上に乗り上げてフォーカスリングベース２５が圧入された挿入状態において、フォーカスリングベース２５側をフォーカスリングカバー２６の内周面２６ｂ内において相対回転させる。
このとき、フォーカスリングベース２５の回転方向は、第２突起２５ｃｂを凸部２６ｃ上から凹部２６ｄの方向へ移動させる方向である。
【００４４】
これにより、図８（ｂ）に示す固定状態まで回転させると、第１・第２突起２５ｃａ，２５ｃｂは、ともにフォーカスリングカバー２６側の凹部２６ｄ内へ嵌合した状態で係止される。この結果、フォーカスリングベース２５側の突起部２５ｃがフォーカスリングカバー２６側の凹部へ完全に嵌合した状態となるため、互いに相対回転することを規制することができる。
【００４５】
また、このとき、図８（ａ）に示す状態では、凹部２６ｄの範囲内にあった突起部２５ｄが、周方向において移動して、図８（ｂ）に示す固定状態では、フォーカスリングカバー２６の内周面２６ｂに形成された凸部２６ｃの端面に当接する。
突起部２５ｄが当接する凸部２６ｃの端面は、挿入方向に略垂直な面を有している。そして、この端面において、フォーカスリングベース２５がフォーカスリングカバー２６の内周面２６ｂから抜けないように、突起部２５ｄを係止する。
【００４６】
ここで、図８（ｂ）に示す固定状態では、上述した環状凸部２５ｅによって、挿入方向における限界位置が規制されている。
このため、図８（ｂ）に示す固定状態では、挿入方向において、フォーカスリングカバー２６側の凸部２６ｃが、挿入方向における両側（図中上下方向）から、環状凸部２５ｅと突起部２５ｄとによって挟まれた状態となる。
【００４７】
本実施形態のレンズ鏡筒１０では、以上のような構成により、図８（ｂ）に示す固定状態において、回転方向および挿入方向の両方向において、フォーカスリングカバー２６の内周面２６ｂ内において、フォーカスリングベース２５が相対回転、挿入方向に移動しないように規制される。
これにより、ビスや接着剤等を使用することなく、構造的な構成だけを活用して、フォーカスリングカバー２６の内周面２６ｂ内へ、フォーカスリングベース２５を固定することができる。
【００４８】
この結果、従来と比較して、小型化が図れるとともに、２つの円筒部材（フォーカスリングベース２５およびフォーカスリングカバー２６）を確実に固定することができる。
［他の実施形態］
以上、本開示の一実施形態について説明したが、本開示は上記実施形態に限定されるものではなく、開示の要旨を逸脱しない範囲で種々の変更が可能である。
【００４９】
（Ａ）
上記実施形態では、フォーカスリングベース２５の外周面２５ｂに形成された突起部２５ｃの部分において、フォーカスリングカバー２６の内周面２６ｂ内に圧入される例を挙げて説明した。しかし、本開示はこれに限定されるものではない。
例えば、図９に示すように、２つの第１・第２突起１２５ｃａ，１２５ｃｂが径方向内側へ弾性変形するように、フォーカスリングベース１２５に形成された構成であってもよい。
【００５０】
なお、上記実施形態で説明した構成と同じ機能・形状を有する構成については、同じ符号を付し、その説明を省略する。
フォーカスリングベース１２５は、図９および図１０（ａ）に示すように、本体部１２５ａ、外周面１２５ｂ、突起部１２５ｃ（第１・第２突起１２５ｃａ，１２５ｃｂ）、突起部２５ｄ、環状凸部２５ｅを備えている。
【００５１】
突起部（回転止め突起部、弾性変形部）１２５ｃは、本体部１２５ａの外周面１２５ｂから径方向外側に向かって突出するように形成されている。そして、突起部１２５ｃは、図９および図１０（ｂ）に示すように、２つの突起（第１・第２突起１２５ｃａ，１２５ｃｂ）によって構成される。
第１・第２突起（回転止め突起部、弾性変形部）１２５ｃａ，１２５ｃｂは、光軸Ｘ方向における被写体側に形成された開口部分に隣接して配置されており、被写体とは反対側の端部が本体部１２５ａと連結されている。これにより、第１・第２突起１２５ｃａ，１２５ｃｂは、上記実施形態１において説明したフォーカスリングカバー２６の内周面側に挿入された際に、内周面２６ｂに当接しながら径方向内側に弾性変形する。
これにより、圧入の場合と比較して、容易にフォーカスリングカバー２６の内周面２６ｂ側へフォーカスリングベース２５を挿入することができる。
【００５２】
（Ｂ）
上記実施形態では、フォーカスリングベース２５の外周面に突起部２５ｃ，１２５ｃおよび突起部２５ｄ、フォーカスリングカバー２６の内周面に複数の凹部２６ｄが設けられた例を挙げて説明した。しかし、本開示はこれに限定されるものではない。
例えば、上記とは反対に、フォーカスリングベース２５の外周面に凹部、フォーカスリングカバー２６の内周面に突起部を設けた構成であってもよい。
この場合でも、上記と同様の効果を得ることができる。
【００５３】
（Ｃ）
上記実施形態では、フォーカスリングベース２５の回転止めとして機能する突起部２５ｃとして、２つの突起（第１・第２突起２５ｃａ，２５ｃｂ）を用いた例を挙げて説明した。しかし、本開示はこれに限定されるものではない。
例えば、個々の突起部は、周方向において分断されておらず１本の凸部として形成されていてもよい。
この場合には、フォーカスリングベースが圧入される挿入状態では、１本の突起部の一部がフォーカスリングカバー側の凸部上に乗り上げて圧入状態を形成すればよい。
【００５４】
（Ｄ）
上記実施形態では、フォーカスリングベース２５の外周面に突起部２５ｃ，１２５ｃおよび突起部２５ｄの組合せを３つ、フォーカスリングカバー２６の内周面にも凹部２６ｄを３つ設けた例を挙げて説明した。しかし、本開示はこれに限定されるものではない。
例えば、回転止め用の突起と抜け止め用の突起の組合せの数、および凹部の数は、３つに限らず、２つであってもよいし、４つ以上であってもよい。
【００５５】
（Ｅ）
上記実施形態では、本開示の構成を、フォーカスリング（フォーカスリングベース２５およびフォーカスリングカバー２６）に対して適用した例を挙げて説明した。しかし、本開示はこれに限定されるものではない。
例えば、第１円筒部材の外周側に第２円筒部材が接合される構成であれば、フォーカスリング以外へ適用してもよい。
【産業上の利用可能性】
【００５６】
本開示のレンズ鏡筒は、小型化を図るとともに、２つの円筒部材を確実に固定することができるという効果を奏することから、各種レンズ鏡筒に対して広く適用可能である。
【符号の説明】
【００５７】
１０      レンズ鏡筒
１１      フィルタリング押さえ
１２      フィルタリング
１３      防塵リング
１４      前枠
１５      １ａ群レンズ枠
１６      １ｂ群レンズ枠
１７      ＯＩＳベース枠
１８      ＯＩＳ回動軸
１９      ＯＩＳバネ
２０      ＯＩＳボール
２１      ＯＩＳレンズ枠
２２      ＯＩＳマグネット
２３      絞りユニット
２４      固定枠
２５      フォーカスリングベース（ベース部材）
２５ａ    本体部
２５ｂ    外周面
２５ｃ    突起部（回転止め突起部）
２５ｃａ  第１突起（回転止め突起部）
２５ｃｂ  第２突起（回転止め突起部）
２５ｄ    突起部（抜け止め突起部）
２５ｅ    環状凸部
２５ｆ    櫛歯部
２６      フォーカスリングカバー（カバー部材）
２６ａ    本体部
２６ｂ    内周面
２６ｃ    凸部
２６ｄ    凹部
２７      ＥＮＣ押さえ
２８      後枠
２９      ４群レンズ枠
３０      遮光シート
３１      フォーカスラック
３２ａ    メインシャフト
３２ｂ    サブシャフト
３３      遮光シート
３４      ５群レンズ枠
５０      フォーカスリング
１２５      フォーカスリングベース
１２５ａ    本体部
１２５ｂ    外周面
１２５ｃ    突起部（回転止め突起部、弾性変形部）
１２５ｃａ  第１突起（回転止め突起部、弾性変形部）
１２５ｃｂ  第２突起（回転止め突起部、弾性変形部）
Ｌ１〜Ｌ１０  第１〜第１０レンズ
Ｘ      光軸
【図１】
2016197137.tif 000003
【図２】
2016197137.tif 000004
【図３】
2016197137.tif 000005
【図４】
2016197137.tif 000006
【図５】
2016197137.tif 000007
【図６】
2016197137.tif 000008
【図７】
2016197137.tif 000009
【図８】
2016197137.tif 000010
【図９】
2016197137.tif 000011
【図１０】
2016197137.tif 000012